(57)【要約】【課題】大型平板表示装置のＥＭＣ対応力を向上させると同時に、熱特性の改善を実現できる平板表示装置を提供する。【解決手段】複数の画素からなる表示パネルと、走査駆動部及びデータ駆動部と、前記走査駆動部及びデータ駆動部に所定の制御信号を印加して前記走査駆動部及びデータ駆動部を制御するタイミング制御部と、前記走査駆動部及びデータ駆動部と電気的に連結された第１印刷回路基板及び第２印刷回路基板と、前記タイミング制御部が実装される第３印刷回路基板と、前記第３印刷回路基板と第１、２印刷回路基板の間に前記タイミング制御部と前記走査及びデータ駆動間の信号を伝達する複数の信号線と、前記表示パネルの背面と前記第１〜第３印刷回路基板の間に挿入される放熱板と、前記複数の信号線を覆う遮蔽部と、を備える平板表示装置。【選択図】図１
2011065122.tif 000002
【特許請求の範囲】
【請求項１】
複数の画素が含まれ、前記複数の画素により画像を表示する表示パネルと、
前記表示パネルに備えられた画素にそれぞれ走査信号及びデータ信号を提供する走査駆動部及びデータ駆動部と、
前記走査駆動部及びデータ駆動部に所定の制御信号を印加して前記走査駆動部及びデータ駆動部を制御するタイミング制御部と、
前記走査駆動部及びデータ駆動部と電気的に連結された第１印刷回路基板及び第２印刷回路基板と、
前記タイミング制御部が実装される第３印刷回路基板と、
前記第３印刷回路基板と第１、２印刷回路基板の間に前記タイミング制御部と前記走査及びデータ駆動間の信号を伝達する複数の信号線と、
前記表示パネルの背面と前記第１〜第３印刷回路基板の間に挿入される放熱板と、
前記複数の信号線を覆う遮蔽部と、
を備えることを特徴とする、平板表示装置。
【請求項２】
前記走査駆動部及びデータ駆動部はＩＣ形態で実現されることを特徴とする、請求項１に記載の平板表示装置。
【請求項３】
前記走査駆動部を構成するＩＣは、前記画像を表示する表示パネルの一面外郭に形成されることを特徴とする、請求項２に記載の平板表示装置。
【請求項４】
前記データ駆動部を構成するＩＣは軟性印刷回路基板上に実装され、前記軟性回路基板は前記第２印刷回路基板と連結されることを特徴とする、請求項２に記載の平板表示装置。
【請求項５】
前記放熱板は、導電性及び熱伝導性の高い材質で実現されることを特徴とする、請求項１に記載の平板表示装置。
【請求項６】
前記放熱板の外面は、接着性質を有する材質で実現されることを特徴とする、請求項１に記載の平板表示装置。
【請求項７】
前記放熱板は、反射率の高い色を有する材質で実現されることを特徴とする、請求項１に記載の平板表示装置。
【請求項８】
前記放熱板には接地電源が印加されることを特徴とする、請求項１に記載の平板表示装置。
【請求項９】
前記遮蔽部は、前記信号線と面接する領域に形成される絶縁層と、前記絶縁層の外部を覆う導電性物質で実現されることを特徴とする、請求項１に記載の平板表示装置。
【請求項１０】
前記導電性を有する遮蔽部の外面は、前記放熱板と接着されて電気的に連結されることを特徴とする、請求項９に記載の平板表示装置。
【発明の詳細な説明】
【技術分野】
【０００１】
本発明は、平板表示装置に関し、特にパネル及びＰＣＢで発生する熱を効果的に分散させると共に電磁両立性（Ｅｌｅｃｔｒｏ−Ｍａｇｎｅｔｉｃ  Ｃｏｍｐａｔｉｂｉｌｉｔｙ、ＥＭＣ）に対する対応力を向上させる平板表示装置に関する。
【背景技術】
【０００２】
通常、平板表示装置は、パネル自ら光を発生させる有機電界発光表示装置（Ｏｒｇａｎｉｃ  Ｌｉｇｈｔ  Ｅｍｉｔｔｉｎｇ  Ｄｅｖｉｃｅ、ＯＬＥＤ）、およびプラズマ表示装置（Ｐｌａｓｍａ  Ｄｉｓｐｌａｙ  Ｐａｎｅｌ、ＰＤＰ）などの発光型平板表示装置と、液晶表示装置（Ｌｉｑｕｉｄ  Ｃｒｙｓｔａｌ  Ｄｉｓｐｌａｙ、ＬＣＤ）のように自ら光を発することができない非発光型平板表示装置とに分けられる。
【０００３】
このような平板表示装置は、画像を表示する表示パネルと、前記表示パネルに備えられた画素に所定の信号を提供する駆動部と、前記駆動部を制御する制御部と、から構成される。
【０００４】
このとき、前記駆動部及び制御部は、それぞれ印刷回路基板（Ｐｒｉｎｔｅｄ  Ｃｉｒｃｕｉｔ  Ｂｏａｒｄ、ＰＣＢ）上に実装され、前記ＰＣＢは表示パネルの背面に位置するのが一般的である。
【０００５】
即ち、画像を表示する表示パネルの反対面、即ち、表示パネルの背面には駆動部が実装されたＰＣＢと制御部が実装されたＰＣＢが位置し、前記駆動部が実装されたＰＣＢと制御部が実装されたＰＣＢの間には前記駆動部と制御部間の信号を送受信するための多数の信号線が形成され、前記ＰＣＢ及び信号線は接着テープなどによりパネル後面に固定される。
【０００６】
但し、このような構造を有する平板表示装置の場合、前記ＰＣＢ又はＰＣＢ上に実装される各種素子、前記ＰＣＢの間に連結される信号線などで有害電波が発生するという問題があり、このような電波の発生に対しては厳格に規制されている。
【０００７】
前記規制される有害電波のうち、電磁波を例えば、前記電磁波が環境に適しているかどうかをテストする電磁両立性（ＥＭＣ）がある。前記ＥＭＣでは、外部機器に対して一定レベル以上の干渉原因になり得るかに対する電磁妨害（ＥＭＩ；Ｅｌｅｃｔｒｏｍａｇｎｅｔｉｃ  Ｉｎｔｅｒｆｅｒｅｎｃｅ）、及び外部電磁波により該当機器自体の動作が妨害されないかに対する電磁感受性（ＥＭＳ；Ｅｌｅｃｔｒｏｍａｇｎｅｔｉｃ  Ｓｕｓｃｅｐｔｉｂｉｌｉｔｙ）などを判断する。
【０００８】
従って、平板表示装置からの不要に発生するＥＭＩノイズをできるだけ減らし、外部電磁波環境に対して電磁感受性（ＥＭＳ）を低減して平板表示装置自らの電磁波耐性の強化を通じて前記ＥＭＣに対する対応力を向上させることができる。
【先行技術文献】
【特許文献】
【０００９】
【特許文献１】大韓民国特許公開第２００７−００９７２００
【特許文献２】大韓民国特許公開第２００６−０１３１３１３
【発明の概要】
【発明が解決しようとする課題】
【００１０】
しかし、最近になって平板表示装置が大型化するにつれて信号線により連結されるＰＣＢ間の距離が遠くなり、前記信号線の長さが長くなるが、この場合、前記長くなった信号線によりＥＭＩノイズに弱くなるという短所があり、結果として、大型平板表示装置のＥＭＣ対応力が低下してしまうという問題が生じる。
【００１１】
また、前記構造を有する平板表示装置の場合、表示パネルの背面にＰＣＢが接着テープにより直接付着されているので、前記表示パネルで発生する熱及び前記ＰＣＢで発生する熱を効果的に分散させることができる経路が形成されず、平板表示装置が長時間動作する場合に熱に弱くなるという短所がある。
【００１２】
そこで、本発明は、上記問題に鑑みてなされたものであり、本発明の目的とするところは、大型平板表示装置のＥＭＣ対応力を向上させると同時に、熱特性の改善を実現することが可能な、新規かつ改良された平板表示装置を提供することにある。
【課題を解決するための手段】
【００１３】
上記課題を解決するために、本発明のある観点によれば、複数の画素が含まれ、前記複数の画素により画像を表示する表示パネルと、前記表示パネルに備えられた画素にそれぞれ走査信号及びデータ信号を提供する走査駆動部及びデータ駆動部と、前記走査駆動部及びデータ駆動部に所定の制御信号を印加して前記走査駆動部及びデータ駆動部を制御するタイミング制御部と、前記走査駆動部及びデータ駆動部と電気的に連結された第１印刷回路基板及び第２印刷回路基板と、前記タイミング制御部が実装される第３印刷回路基板と、前記第３印刷回路基板と第１、２印刷回路基板の間に前記タイミング制御部と前記走査及びデータ駆動間の信号を伝達する複数の信号線と、前記表示パネルの背面と前記第１〜第３印刷回路基板の間に挿入される放熱板と、前記複数の信号線を覆う遮蔽部と、を備えることを特徴とする、平板表示装置が提供される。
【００１４】
前記走査駆動部及びデータ駆動部はＩＣ形態で実現されてもよい。また、前記走査駆動部を構成するＩＣは、前記画像を表示する表示パネルの一面外郭に形成されてもよい。また、前記データ駆動部を構成するＩＣは軟性印刷回路基板上に実装され、前記軟性回路基板は前記第２印刷回路基板と連結されてもよい。
【００１５】
前記放熱板は、導電性及び熱伝導性の高い材質で実現されてもよい。また、前記放熱板の外面は、接着性質を有する材質で実現されてもよい。また、前記放熱板は、反射率の高い色を有する材質で実現されてもよい。
【００１６】
前記放熱板には接地電源が印加されてもよい。
【００１７】
前記遮蔽部は、前記信号線と面接する領域に形成される絶縁層と、前記絶縁層の外部を覆う導電性物質で実現されてもよい。
【００１８】
前記導電性を有する遮蔽部の外面は、前記放熱板と接着されて電気的に連結されてもよい。
【発明の効果】
【００１９】
以上説明したように本発明によれば、大型平板表示装置のＥＭＣ対応力を向上させると同時に、熱特性の改善を実現できるという効果を奏する。
【図面の簡単な説明】
【００２０】
【図１】本発明の実施形態に係る平板表示装置の構成を示すブロック図である。
【図２】本発明の実施形態に係る平板表示装置の背面構造に対する平面図である。
【図３】本発明の実施形態に係る平板表示装置の特定領域Ｉ−Ｉ’に対する断面図である。
【図４】本発明の実施形態に係る平板表示装置構造の特性を説明する図である。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
図１は、本発明の実施形態に係る平板表示装置の構成を示すブロック図である。但し、図１では有機電界発光表示装置をその例として説明するが、これは１つの実施形態に過ぎないものであって、本発明の実施形態に係る平板表示装置がこれに限定されるものではない。
【００２３】
図１を参照すると、本発明の実施形態に係る平板表示装置としての有機電界発光表示装置は、走査線Ｓ１〜Ｓｎ及びデータ線Ｄ１〜Ｄｍと接続された複数の画素４０を含む表示パネル３０と、走査線Ｓ１〜Ｓｎを駆動するための走査駆動部１０と、データ線Ｄ１〜Ｄｍを駆動するためのデータ駆動部２０と、走査駆動部１０及びデータ駆動部２０を制御するためのタイミング制御部５０とを備える。
【００２４】
前記タイミング制御部５０は、外部から供給される同期信号に対応してデータ駆動制御信号ＤＣＳ及び走査駆動制御信号ＳＣＳを生成する。タイミング制御部５０で生成されたデータ駆動制御信号ＤＣＳはデータ駆動部２０に供給され、走査駆動制御信号ＳＣＳは走査駆動部１０に供給される。そして、タイミング制御部５０は、外部から供給されるデータＤａｔａをデータ駆動部２０に供給する。
【００２５】
走査駆動部１０は、タイミング制御部５０から走査駆動制御信号ＳＣＳの供給を受ける。走査駆動制御信号ＳＣＳの供給を受けた走査駆動部１０は走査信号を生成し、生成された走査信号を走査線Ｓ１〜Ｓｎに順次供給する。
【００２６】
データ駆動部２０は、タイミング制御部５０からデータ駆動制御信号ＤＣＳの供給を受ける。データ駆動制御信号ＤＣＳの供給を受けたデータ駆動部２０はデータ信号を生成し、生成されたデータ信号を走査信号と同期されるようにデータ線Ｄ１〜Ｄｍに供給する。
【００２７】
表示パネル３０は、外部から第１電源ＥＬＶＤＤ及び第２電源ＥＬＶＳＳの供給を受けてそれぞれの画素４０に供給する。第１電源ＥＬＶＤＤ及び第２電源ＥＬＶＳＳの供給を受けた画素４０のそれぞれはデータ信号に対応して第１電源ＥＬＶＤＤから発光素子を経由して第２電源ＥＬＶＳＳに流れる電流を制御することで、データ信号に対応する光を生成する。
【００２８】
即ち、本発明の実施形態に係る平板表示装置は、画像を表示する表示パネル３０と、前記表示パネル３０に備えられた画素４０に所定の信号、即ち、走査信号及びデータ信号を提供する走査／データ駆動部１０、２０と、前記走査／データ駆動部を制御するタイミング制御部５０とから構成される。
【００２９】
このとき、前記走査駆動部１０及びデータ駆動部２０は、多数のＩＣで実現されて印刷回路基板（ＰＣＢ）に実装されてもよいし、軟性回路基板（ＦＰＣＢ）上に実装されて各種素子が実装されたＰＣＢと電気的に連結されてもよい。前記タイミング制御部５０は別途のＰＣＢ上に実装され、前記ＰＣＢの間には前記走査／データ駆動部とタイミング制御部間の信号伝達のために多数の信号線が形成される。
【００３０】
また、最近になって平板表示装置が大型化するにつれて前記走査駆動部１０は表示パネル３０の外郭領域、即ち、非表示領域上に直接実装され、データ駆動部２０のみＰＣＢ又はＦＰＣＢ上に実装されてもよい。
【００３１】
ここで、前記走査／データ駆動部１０、２０及びタイミング制御部５０は、それぞれ印刷回路基板（Ｐｒｉｎｔｅｄ  Ｃｉｒｃｕｉｔ  Ｂｏａｒｄ、ＰＣＢ）上に実装され、前記ＰＣＢは表示パネルの背面に位置するのが一般的である。
【００３２】
図２及び図３は、本発明の実施形態に係る平板表示装置の背面構造に対する平面図及び特定領域Ｉ−Ｉ’に対する断面図であって、図２及び図３を参照すれば、前記画像を表示する表示パネル３０の反対面、即ち、表示パネルの背面には、ＩＣ形態のデータ駆動部２２がそれぞれ実装されたＦＰＣＢ２４と電気的に連結される第２ＰＣＢ２５と、前記表示パネル２０の前面にＩＣ形態の走査駆動部（図示せず）が形成され、前記走査駆動部と電気的に連結される第１ＰＣＢ１５及びタイミング制御部が実装された第３ＰＣＢ５５が位置する。前記第２ＰＣＢ２５と第３ＰＣＢ５５、第１ＰＣＢ１５と第３ＰＣＢ５５の間には前記走査／データ駆動部とタイミング制御部間の信号を送受信するための多数の信号線７０が形成されている。
【００３３】
但し、このような構造を有する平板表示装置の場合、前述したように、前記ＰＣＢ又はＰＣＢ上に実装される各種素子、前記ＰＣＢの間に連結される信号線で電磁波が発生したり、外部から印加される電磁波により平板表示装置の各種素子などが損傷し得るという問題がある。
【００３４】
また、最近になって平板表示装置が大型化するにつれて前記信号線により連結されるＰＣＢ間の距離が遠くなり、信号線の長さが長くなることにより、外部ＥＭＩノイズに弱いという短所が浮き彫りになっており、前記表示パネルの背面にＰＣＢが直接取り付けられる場合、前記表示パネルで発生する熱及び前記ＰＣＢで発生する熱を効果的に分散させることができる経路が形成されず、平板表示装置が長時間動作する場合、熱に弱いという問題が発生し得る。
【００３５】
これにより、本発明の実施形態では前記ＰＣＢ１５、２５、５５及び信号線７０が形成された表示パネル３０の下面に導電性放熱板６０を挿入し、前記信号線７０を遮蔽部８０で覆い、前記遮蔽部の外面８４が導電性物質で実現されて前記放熱板６０と電気的に連結されることにより、前記平板表示装置から不要に発生するＥＭＩノイズを減らし、外部電磁波環境に対して電磁感受性（ＥＭＳ）を低減して前記平板表示装置自らの電磁波耐性の強化、即ち、ＥＭＣに対する対応力の向上を実現すると共に熱特性の改善を実現できることを特徴とする。
【００３６】
より具体的に、図２及び図３を参照すれば、本発明の実施形態による場合、前記表示パネル３０の背面３２には導電性及び熱伝導性の高い材質で実現される放熱板６０が取り付けられる。
【００３７】
このとき、前記放熱板６０は両面に接着性質を有しているので、放熱板６０が前記表示パネルの背面３２に取り付けられると共に、前記第１〜第３ＰＣＢ１５、２５、５５は別途の接着テープなしに前記放熱板６０の一面に固定される。
【００３８】
このように、前記放熱板６０が表示パネルの背面３２と前記第１〜第３ＰＣＢ１５、２５、５５の間に備えられることにより、前記表示パネル３０で発生する熱及び前記ＰＣＢで発生する熱を効果的に分散させることができる経路が形成されて放熱特性が改善される。
【００３９】
また、前記放熱板６０は反射率の高い色を有する物質で実現されることが好ましく、これを通じて前記表示パネル３０から出射される光の反射率を高めて光損失を低減できるという効果も得られる。
【００４０】
そして、前記タイミング制御部が実装された第３ＰＣＢ５５と第１、２ＰＣＢ１５、２５の間に連結された多数の信号線７０は、図３に示すように、別途の遮蔽部８０で覆われるように形成されることを特徴とする。
【００４１】
このとき、前記遮蔽部８０は、図３に示すように、前記信号線７０と面接する内部は絶縁層８２で形成され、前記絶縁層の外部８４は導電性物質で実現されることを特徴とする。
【００４２】
即ち、前記遮蔽部８０は前記信号線７０間の領域に絶縁層８２が形成されることで、前記信号線７０の間に形成され得る寄生キャパシタンスを除去できると同時に、前記絶縁層８２の外部を導電性物質で形成し、前記導電性を有する遮蔽部の外面８４が前記導電性の放熱板６０と接着されて電気的に連結された状態であるため、ＥＭＩの遮蔽を実現できるという長所がある。このとき、前記放熱板６０には接地電源ＧＮＤが印加される。
【００４３】
図４は、本発明の実施形態に係る平板表示装置構造の特性を説明する図である。図４を参照すれば、接地電源と連結された放熱板６０に前記第１〜第３ＰＣＢが接着されて電気的に連結されることで、結果として、更に広い接地領域が確保されるようになり、これにより、ＥＭＩノイズに対する対応力を高められる。
【００４４】
また、信号線７０を覆う形態で実現される遮蔽部８０もその外部面８４に導電性物質で実現されているので、前記放熱板６０と接着されることにより、ノイズに対する前記信号線の遮蔽効果を高めることができる。
【００４５】
更に、熱は主に表示パネル３０とＰＣＢ、特にタイミング制御部が実装された第３ＰＣＢ５５で発生するが、発生した熱伝導性の高い放熱板６０により広い面積で大気と接触して発熱するようになる。これにより、表示パネル３０の温度上昇を下げることで、各駆動部及びタイミング制御部の電気的な特性を正常に維持できるようになる。
【００４６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００４７】
Ｓ１〜Ｓｎ：走査線
Ｄ１〜Ｄｍ：データ線  
１０：走査駆動部
２０：データ駆動部
３０：表示パネル
４０：画素
５０：タイミング制御部
【図１】
2011065122.tif 000003
【図２】
2011065122.tif 000004
【図３】
2011065122.tif 000005
【図４】
2011065122.tif 000006